(57)【要約】【課題】筆記具の芯を容易に交換することができる、芯交換器を提供する。【解決手段】芯交換器(56)は、筆記具の芯を交換するための芯交換器であって、板状の芯交換器本体(58)を備え、芯交換器本体は、芯を掛止して、芯を筆記具から引き抜くための刃(72)を有する芯抜き部(64)を備え、刃は、芯交換器本体に形成された孔部(66d)内に設けられている。孔部は、板状の芯交換器本体を平面視したとき、略扇形又は略二等辺三角形であり、刃は、略扇形又は略二等辺三角形の孔部の互いに向かい合う側壁に設けられている。【選択図】図９
0003182660.tif 000002
【実用新案登録請求の範囲】
【請求項１】
筆記具の芯を交換するための芯交換器であって、
板状の本体を備え、
前記本体は、前記芯を掛止して、前記芯を前記筆記具から引き抜くための刃部を有する芯抜き部を備え、
前記刃部は、前記本体に形成された孔部内に設けられている、
ことを特徴とする芯交換器。
【請求項２】
前記孔部は、前記板状の本体を平面視したとき、略扇形又は略二等辺三角形であり、
前記刃部は、略扇形又は略二等辺三角形の前記孔部の互いに向かい合う側壁に設けられている、
ことを特徴とする請求項１に記載の芯交換器。
【請求項３】
前記側壁は、前記互いに向かい合う側壁間の幅が、板状の前記本体の上面から底面に向かって拡大するように傾斜面として形成され、前記上面と前記側面とが交わる部分で前記刃部が構成されている、
ことを特徴とする請求項２に記載の芯交換器。
【請求項４】
前記本体は、前記筆記具に芯を取付けるための芯取付部を備え、
前記芯取付部は、前記本体に形成された穴で構成され、この穴は、この中に前記芯の先端部を挿入したときに芯を押付け可能な内壁を有する、
ことを特徴とする請求項１〜３のいずれか１項に記載の芯交換器。
【請求項５】
前記穴は、すり鉢状に形成されている、
ことを特徴とする請求項４に記載の芯交換器。
【請求項６】
前記穴は、前記芯の先端部が嵌合する形状に形成されている、
ことを特徴とする請求項４に記載の芯交換器。
【請求項７】
筆記具の芯を交換するための芯交換器であって、
芯を掛止して、前記芯を前記筆記具から引き抜くための刃部を有する芯抜き部と、
前記筆記具に芯を取付けるための芯取付部と、
前記芯を収容するための収容部と、
を備えていることを特徴とする芯交換器。
【請求項８】
前記芯抜き部と前記収容部とは、前記刃部の近傍に形成された貫通孔を介して連通している、
ことを特徴とする請求項７に記載の芯交換器。
【請求項９】
前記収容部には前記収容部内の芯を廃棄するための廃棄口が形成されており、この廃棄口には、カバー部が着脱自在に取付けられている、
ことを特徴とする請求項７又は８に記載の芯交換器。
【請求項１０】
前記芯取付部及び前記芯抜き部が設けられた筐体と、前記筐体に取付けられた蓋部を備え、
前記蓋部は、前記芯取付部又は前記芯抜き部の少なくとも一方を覆う位置と、前記芯取付部又は前記芯抜き部の少なくとも一方を外部に露出させる位置との間で移動可能に取付けられている、
ことを特徴とする請求項７〜９のいずれか１項に記載の芯交換器。
【請求項１１】
ストラップを取付けるためのストラップ取付部を備える、
ことを特徴とする請求項１〜１０のいずれか１項に記載の芯交換器。
【考案の詳細な説明】
【技術分野】
【０００１】
本考案は、筆記具の芯を交換するための芯交換器に関する。
【背景技術】
【０００２】
従来、パーソナルコンピュータ装置等の情報処理装置に対して位置指示を行う筆記具として、位置指示器が用いられている。位置指示器はペン型に形成されており、この位置指示器の先端を専用のタブレットの位置検出面に接触させると、タブレットによって位置指示器の接触位置座標や接触圧が検出され、情報処理装置に出力される。これにより、情報処理装置に対するポインティング操作や描画入力等が行われる。
【０００３】
例えば、電磁誘導方式の位置指示器は、タブレットから送信される特定周波数の電磁波に対して共振する共振回路を備えており、この共振回路で生じた共振信号をタブレットに送信することにより、位置指示器の位置がタブレットによって検出される。
【０００４】
また、位置指示器の先端には、タブレットの位置検出面に押し付けるための芯体が、着脱可能に取付けられている。この位置指示器を使用し続けると、芯体とタブレットの位置検出面との摩擦により芯体が磨耗し、書き味が低下する場合がある。そこで、磨耗した芯体（古芯）を新しい芯体（替芯）に交換するため、特許文献１に記載されているように、位置指示器から芯体を引き抜くための芯抜き器が用いられる。
特許文献１に記載されている芯抜き器は、位置指示器の先端に取付けられている古芯が挿入される挿入部を備えており、この挿入部には、挿入された古芯を掛止可能に形成された少なくとも１つのフック部が設けられている。ユーザは、芯抜き器を使用して位置指示器から芯体を引き抜き、替芯を手で位置指示器に取付ける。
【０００５】
ところで、近年では、携帯型情報端末（例えばスマートフォン）にも位置指示器が用いられるようになっている。携帯型情報端末はユーザに常時携行されるので、この携帯型情報端末とともに携行される位置指示器にも高い携行性が求められる。そのため、位置指示器には、従来に比べてより細型化が要求されている。
【０００６】
しかしながら、特許文献１に記載されているような従来の位置指示器では、フェライトコアの軸線方向に沿って形成された貫通孔に芯体を挿通する構造上、位置指示器の細型化に限界があった。すなわち、硬いフェライトに正確な寸法精度の貫通孔を形成することが困難であると共に、貫通孔の形成によりフェライトの肉厚が薄くなり、破損し易くなる可能性があるため、従来の位置指示器では更なる細型化が困難であった。
【０００７】
そこで、例えば特許文献２に開示されているように、フェライトコアに貫通孔を設けることなく、ペン先となる芯体を設けることができるようにした位置指示器も提案されている。
この特許文献２に記載された位置指示器では、コイルが巻回されているフェライトコアの端面と、芯体が取付けられたフェライトチップとが、コイルの軸線方向に沿って互いに対向して配置されており、操作者の操作に応じて互いに接近するようになっている。
【先行技術文献】
【特許文献】
【０００８】
【特許文献１】特開２０１０−２０５４４号公報
【特許文献２】特開２００２−２４４８０６号公報
【考案の概要】
【考案が解決しようとする課題】
【０００９】
しかしながら、特許文献２に記載されているような位置指示器では、位置指示器の細型化を進めるにつれて、フェライトチップに取付けられる芯体もより短く且つ細くなる。その結果、手で芯体を持つことが困難になる。さらに位置指示器から古芯を外した後、ユーザが手で替芯を位置指示器の本体に取付けるのが困難な場合がある。すなわち、替芯を容器から取り出す際に誤って落として見失ったり、取付けの際に、位置指示器の本体を芯体に対して強く押付けた勢いで、芯体を飛ばしてしまったりする可能性がある。
【００１０】
よって、本考案は、筆記具の芯を容易に交換することができる、芯交換器を提供することを目的とする。
【課題を解決するための手段】
【００１１】
上記の目的を達成するために本考案によれば、芯交換器は、筆記具の芯を交換するための芯交換器であって、板状の本体を備え、本体は、芯を掛止して、芯を筆記具から引き抜くための刃部を有する芯抜き部を備え、刃部は、板状の本体に形成された孔部内に設けられていることを特徴とする。
このように構成された本考案においては、ユーザが手で引き抜くことが困難な小さな芯であっても、板状の本体の刃部に芯を掛止させることによって、筆記具の芯を容易且つ確実に引き抜くことができる。さらに、板状の本体に形成された孔部内に刃部が設けられているので、芯交換器を使用した時に刃部で指を切ることはなく安全に使用できる。
【００１２】
また、本考案において、孔部は、板状の本体を平面視したとき、略扇形又は略二等辺三角形であり、刃部は、略扇形又は略二等辺三角形の孔部の互いに向かい合う側壁に設けられている。
このように構成された本考案においては、本体に形成された略扇形又は略二等辺三角形の孔部の互いに向かい合う側壁に刃部が設けられているので、芯交換器を使用した時に刃部で指を切ることはなく安全に使用できる。
【００１３】
また、本考案において、側壁は、互いに向かい合う側壁間の幅が、板状の本体の上面から底面に向かって拡大するように傾斜面として形成され、上面と側面とが交わる部分で刃部が構成されている
このように構成された本考案においては、簡易な構造により刃部を構成することができ、芯交換器を低コストで製造することができる。
【００１４】
また、本考案において、本体は、筆記具に芯を取付けるための芯取付部を備え、芯取付部は、本体に形成された穴で構成され、この穴は、この中に芯の先端部を挿入したときに芯を押付け可能な内壁を有することを特徴とする。
このように構成された本考案においては、ユーザが手で保持することが困難な小さな芯であっても、穴に芯を挿入することによって、取付け作業中、芯を容易に保持することができる。その結果、穴内の芯に対して筆記具を押し付けることにより、筆記具に芯を容易且つ確実に取付けることができる。
【００１５】
また、本考案において、穴は、すり鉢状に形成されていることを特徴とする。
このように構成された本考案においては、穴に挿入された芯を筆記具に取付けるとき、筆記具の先端部を孔の側面部に沿って芯の挿入位置まで案内することができ、芯の交換に際して容易且つ確実に位置決めすることができる。
【００１６】
また、本考案において、穴は、芯の先端部が嵌合する形状に形成されていることを特徴とする。
このように構成された本考案においては、芯を筆記具に取付ける時の筆記具の傾きやぐらつきを防止することができ、筆記具の先端部を芯に対して一層確実に位置決めすることができる。
【００１７】
また、上記の目的を達成するために本考案によれば、芯交換器は、筆記具の芯を交換するための芯交換器であって、芯を掛止して、芯を筆記具から引き抜くための刃部を有する芯抜き部と、筆記具に芯を取付けるための芯取付部と、芯を収容するための収容部と、を備えていることを特徴とする。
このように構成された本考案においては、ユーザが手で引き抜くことが困難な小さな芯であっても、板状の本体の刃部に芯を掛止させることによって、筆記具の芯を容易且つ確実に引き抜くことができる。また、ユーザが手で保持することが困難な小さな芯であっても、穴に芯を挿入することによって、取付け作業中、芯を容易に保持することができる。その結果、穴内の芯に対して筆記具を押し付けることにより、筆記具に芯を容易且つ確実に取付けることができる。さらに、芯を収容部に収容することにより、筆記具から引き抜かれた芯又は筆記具に取付ける芯の紛失を防止することができる。
【００１８】
また、本考案において、芯抜き部と収容部とは、刃部の近傍に形成された貫通孔を介して連通していることを特徴とする。
このように構成された本考案においては、芯を引き抜いたとき、この引き抜かれた芯は飛び散ることなく収容部に落ちて収容されることになる。
【００１９】
また、本考案において、収容部には収容部内の芯を廃棄するための廃棄口が形成されており、この廃棄口には、カバー部が着脱自在に取付けられていることを特徴とする。
このように構成された本考案においては、収容部に収容した芯が飛び散らないように廃棄することが可能となる。
【００２０】
また、本考案において、芯交換器は、芯取付部及び芯抜き部が設けられた筐体と、筐体に取付けられた蓋部を備え、蓋部は芯取付部又は芯抜き部の少なくとも一方を覆う位置と、芯取付部又は芯抜き部の少なくとも一方を外部に露出させる位置との間で移動可能に取付けられている。
このように構成された本考案においては、芯取付部を蓋部で覆うことにより、例えば、芯の交換に備え、芯取付部に芯を予め収容しておく場合に、芯が芯取付部から脱落することを防止でき、蓋部を移動させて芯取付部を外部に露出させれば、小さな芯を指で取扱うことなく、芯の筆記具への取付け作業を行うことができる。
【００２１】
また、本考案において、芯交換器は、ストラップを取付けるためのストラップ取付部を有する。
このように構成された本考案においては、ストラップ取付部にストラップを取付けることにより、芯交換器を失くすことなく携帯することができる。
【考案の効果】
【００２２】
本考案による芯交換器によれば、筆記具の芯を容易に交換することができる。
【図面の簡単な説明】
【００２３】
【図１】本考案の実施形態による芯交換器を使用して古芯を替芯に交換する位置指示器の断面図であり、図１（Ａ）は位置指示器の全体断面図、図１（Ｂ）は位置指示器の先端周辺の拡大断面図である。
【図２】本考案の第１実施形態による芯抜き部が露出した状態の芯交換器を示す斜視図である。
【図３】本考案の第１実施形態による芯取付部が露出した状態の芯交換器を示す斜視図である。
【図４】図２のIV−IV線に沿って見た芯交換器の断面図である。
【図５】図４の芯抜き部の近傍を示す拡大断面図である。
【図６】図４の芯取付部の近傍を示す部分拡大図である。
【図７】本考案の第１実施形態による芯交換器の底面図である。
【図８】本考案の第２実施形態による芯交換器を示す図であり、図８（Ａ）は芯交換器の斜視図、図８（Ｂ）は芯交換器の側面図である。
【図９】本考案の第２実施形態の変形例にかかる芯交換器の斜視図である。
【図１０】本考案の第３実施形態による芯抜き部が露出した状態の芯交換器を示す斜視図である。
【図１１】本考案の第３実施形態による芯取付部が露出した状態の芯交換器を示す斜視図である。
【図１２】図１１のXII−XII線に沿って見た芯交換器の断面図である。
【図１３】本考案の実施形態の変形例による芯交換器の斜視図である。
【図１４】本考案の実施形態のさらなる変形例による芯交換器の斜視図である。
【考案を実施するための形態】
【００２４】
以下、添付図面を参照して、本考案の実施形態による芯交換器及び芯取付器を説明する。
まず、図１により、本考案の実施形態による芯交換器を使用して古芯を替芯に交換する位置指示器について説明する。図１は位置指示器の断面図であり、図１（Ａ）は位置指示器の全体断面図、図１（Ｂ）は位置指示器の先端部周辺の拡大断面図である。
【００２５】
図１（Ａ）に示すように、位置指示器１は、円筒状の位置指示器本体２を備えている。この位置指示器本体２の内部には、タブレットから送信される特定周波数の電磁波に対して共振する共振回路４が設けられている。また、位置指示器１の先端部２ａには、タブレットの位置検出面に押し付けるための芯体６が、着脱可能に取付けられる。
【００２６】
図１（Ｂ）に示すように、芯体６は、円柱形の胴部１０ａ及び胴部１０ａの一方の端部に形成されたほぼ円錐形の先端部１０ｂとからなるペン先本体部１０と、胴部１０ｂの他方の端部に形成された円柱状又は角柱状の突出部１２とを備えている。
また、位置指示器１の先端部２ａ近傍において、位置指示器本体２の内部には、芯体６を保持するための芯体保持部１４が設けられている。この芯体保持部１４には、芯体６の突出部１２を嵌め込み可能な挿入穴１６が形成されている。
芯体６の突出部１２を芯体保持部１４の挿入穴１６に嵌め込むことにより、挿入穴１６の内面によって芯体６が保持される。
【００２７】
次に、図２乃至図７により、本考案の第１実施形態による芯交換器を説明する。図２は、本考案の第１実施形態による芯抜き部が露出した状態の芯交換器を示す斜視図である。図３は、本考案の第１実施形態による芯取付部が露出した状態の芯交換器を示す斜視図である。図４は、図２のIV−IV線に沿って見た芯交換器の断面図である。図５は、図４の芯抜き部の近傍を示す拡大断面図である。図６は、図４の芯取付部の近傍を示す部分拡大図である。図７は、本考案の第１実施形態による芯交換器の底面図である。
【００２８】
図２及び図３に示すように、芯交換器１８は、角丸長方形の上面２０及び底面２２と、これらの上面２０と底面２２の間を接続する側面２４とによって形成された筐体２６を備える。この筐体２６の上面２０には、筐体２６の長手方向に沿って、芯抜き部２８と芯取付部３０とが設けられている。
また、芯交換器１８は、筐体２６の上面２０の一部を覆う蓋部３２を備えている。図２、図３及び図７に示すように、蓋部３２は、上面部３２ａと、側面部３２ｂと、爪部３２ｃとからなる。上面部３２ａは筐体２６の上面２０とほぼ同じ形状の角丸長方形に形成された板状の部材で、蓋部３２を筐体２６に取り付けたときに、筐体２６の上面２０の一部または全部を覆うようになっている。側面部３２ｂは、上面部３２ａの長辺３２ｄから上面部３２ａに対し垂直方向に筐体２６の側面２４とほぼ同じ高さに延伸して形成され、蓋部３２が筐体２６に取り付けられたときに筐体２６の側面２４と対向するようになっている。爪部３２ｃは、側面部３２ｂの長辺３２ｅからに側面部３２ｂに対し垂直方向に所定の長さ延伸して形成され、蓋部３２が筐体２６に取り付けられたときに筐体２６の底面２２と対向するようになっている。そして、上面部３２ａ、側面部３２ｂ及び爪部３２ｃの内周に筐体２６を挿入することで、蓋部３２が筐体２６の長手方向に沿って、上面２０の上を摺動可能に取付けられる。これにより、ユーザは、芯抜き器２８を使用するときには、芯取付部３０を覆い且つ芯抜き部２８を外部に露出させる位置（図２の位置）へ蓋部３２を移動させることができ、芯取付部３０を使用するときには、芯抜き部２８を覆い且つ芯取付部３０を外部に露出させる位置（図３の位置）へ蓋部３２を移動させることができる。これらの筐体２６と蓋部３２によって、芯交換器１８が構成される。
【００２９】
芯抜き部２８は、位置指示器１に取付けられた古芯６ａを位置指示器１から引き抜くためのものであり、図２、図４及び図５に示すように、位置指示器１に取付けられている古芯６ａが挿入される凹部３６と、凹部３６の内壁に配置され、凹部３６に挿入された古芯６ａを掛止可能な掛止部としての刃３８とを有している。
凹部３６は、筐体２６の長手方向に沿って、ほぼ角丸長方形の穴状に形成されている。この凹部３６の側壁３６ａは、向かい合う側壁３６ａ間の幅が、凹部３６の長手方向の両端部のうち筐体２６の内側に位置する一方の端部３６ｂ側から筐体２６の外側に位置する他方の端部３６ｃ側に向かって（すなわち刃３８に向かって）次第に縮小するように形成されている。
刃３８は、例えばステンレス鋼等の金属によって形成され、凹部３６の内壁に取付けられる。そして、この刃３８は、凹部３６に挿入された古芯６ａの中心軸線に対し交差する方向に向けて配置される。なお、刃３８の向きは、古芯６ａと掛止可能であればいずれの方向を向いていても良い。さらに、凹部３６の内壁と刃３８とは、金属によって一体に形成してもよい。
そして、ユーザは、古芯６ａを位置指示器１から取り外すときには、位置指示器１の先端部２ａを芯抜き部２８の凹部３６の一方の端部３６ｂ側から挿入し、位置指示器１を凹部３６の他方の端部３６ｃ側へ凹部３６の側壁３６ａに沿って移動させ、古芯６ａの胴部１０ａと刃３８とを当接させる。そして、位置指示器１に、凹部３６の他方の端部３６ｃ側に向かって所定の力を加えると、胴部１０ａが刃３８に食い込むことにより古芯６ｂが刃３８に掛止される。ここで、古芯６ｂは刃３８に掛止された状態なので、ユーザが位置指示器１を引き上げると、古芯６ａの突出部１２が芯体保持部１４から外れ、古芯６ａを位置指示器１から引き抜くことができる。
【００３０】
更に、筐体２６の内部には、位置指示器１から引き抜かれた古芯６ａを収容するための収容部４０が設けられている。収容部４０は、図４及び図５に示すように、凹部３６の下方に形成されており、収容部４０と凹部３６とは、凹部３６の底面全体に形成された貫通孔４２を介して連通している。そのため、位置指示器１から外れた古芯６ａは、刃３８から外れて貫通穴４２を介して収容部４０へ落下するようになっている。
また、収容部４０は、筐体２６の底面２２側に向かって開放されており、この開放面によって、収容部４０内の古芯６ａを廃棄するための廃棄口４４が形成されている。
【００３１】
芯取付部３０は、図４及び図６に示すように、替芯６ｂが挿入可能に形成されると共に、挿入された替芯６ｂを把持する第１の穴（以下、替芯挿入穴４６）を備えている。この替芯挿入穴４６は、替芯６ｂと嵌合する形状に形成されている。すなわち、替芯挿入穴４６は、開口部４６ａから一定の深さまでの範囲においては、芯体６の胴部１０ａの外径とほぼ同一の内径の円形断面を有し、一定の深さから底面４６ｂまでの範囲においては、芯体６のペン先本体部１０の外形に対応して、底面４６ｂに向かって内径が次第に縮小するように形成されている。このように、替芯挿入穴４６の内径を替芯６ｂの胴部１０ａの外径とほぼ同じにすることで、替芯６ｂは、この替芯挿入穴４６に軽圧入されて把持される。また、替芯６ｂは、替芯６ｂの突出部１２が替芯挿入穴４６の中で筐体２６の上面２０側に向いた状態で芯取付部３０に把持される。
替芯挿入穴４６の開口部４６ａの周囲には、位置指示器１の先端部２ａを替芯挿入穴４６の開口部４６ａの中心に向けて案内するための案内面４８が形成されている。この案内面４８は、替芯挿入穴４６の開口部４６ａの周囲において、筐体２６の上面２０から替芯挿入穴４６に向かって内径が縮小するすり鉢状に形成され、且つ、位置指示器１の先端部２ａと嵌合する形状に形成されている。すなわち、案内面４８は、位置指示器１の先端部２ａの外形に対応して、筐体２６の上面２０から替芯挿入穴４６に向かって内径が次第に縮小するように形成されている。
筐体２６の上面２０から替芯挿入穴４６の底部４６ｂまでの深さは、芯体６の長手方向の長さ以上であり、替芯挿入穴４６に挿入された替芯６ｂが筐体２６の上面２０から外部に突出しないようになっている。
なお、この替芯挿入穴４６の形状は、本実施形態に示す形状に限定されない。例えば、替芯挿入穴４６を、替芯６ｂの胴部１０ａの外径よりも大きい内径を有する円柱形の穴に形成し、その内面に替芯６ｂを把持するための凸部を設けるようにしても良い。更に、替芯挿入穴４６の内面には、この替芯挿入穴４６に挿入された替芯６ｂを、弾性力によって把持するための弾性体（例えば、プラスチック、エラストマー、ポリプロピレン、ポリエチレン等）を設けても良い。
【００３２】
また、芯交換器１８は、筐体２６の廃棄口４４を覆うカバー部材としての板部材５０を有している。図４及び図７に示すように、板部材５０は、廃棄口４４を覆うように筐体２６に取付けられる。そして、板部材５０が筐体２６に取付けられた状態において、板部材５０と筐体２６とが互いに向かい合って当接する領域のうち廃棄口４４に隣接する位置には、板部材５０と筐体２６のそれぞれに磁石５２が埋め込まれており、これらの磁石５２の磁力によって、板部材５０が筐体２６に対して取り外し可能に保持される。さらに、筐体２６には、磁石５２が埋め込まれている領域に隣接し、且つ、筐体２６に板部材５０が取付けられた状態において板部材５０の端部５０ａと向かい合う部分に、凹部５４が形成されている。そして、板部材５０が筐体２６に取付けられた状態で端部５０ａを押すと、筐体２６に設けられた磁石５０の部分を支点として、板部材５０の端部５０ａが筐体２６の凹部５４に押し込まれると共に、廃棄口４４を覆う板部材５０の部分が持ち上がり、廃棄口４４が外部に開放されるようになっている。
【００３３】
次に、上述した本考案の第１実施形態による芯交換器１８の作用効果を説明する。
まず、本考案の第１実施形態によれば、芯交換器１８は、替芯６ｂのペン先本体部１０が挿入可能に形成されると共に、挿入された替芯６ｂのペン先本体部１０を把持する替芯挿入穴４６が形成された芯取付部３０を備えるので、ユーザが手で保持することが困難な小さな替芯６ｂであっても、芯取付部３０の替芯挿入穴４６に替芯６ｂを挿入することによって、取付け作業中、替芯６ｂを容易に保持することができる。その結果、替芯挿入穴４６内の替芯６ｂに対して位置指示器１を押し付けることにより、位置指示器１に替芯６ｂを容易且つ確実に取付けることができる。
【００３４】
また、替芯挿入穴４６の開口部４６ａの周囲に、位置指示器１の先端部を開口部４６ａの中心に向けて案内するための案内面４８が、替芯挿入穴４６に向かって内径が縮小するすり鉢状に形成されているので、替芯挿入穴４６に挿入された替芯６ｂを位置指示器１に取付けるとき、位置指示器１の先端部２ａを替芯６ｂに対して容易且つ確実に位置決めすることができる。特に、替芯挿入穴４６に挿入された替芯６ｂを位置指示器１に取付けるとき、位置指示器１の先端部２ａをすり鉢状に形成された案内面４８に当接させることで、位置指示器１の先端部２ａを案内面４８に沿って替芯６ｂの挿入位置まで案内することができ、位置指示器１の先端部２ａを替芯６ｂに対して容易且つ確実に位置決めすることができる。
【００３５】
また、案内面４８は、位置指示器１の先端部２ａと嵌合する形状に形成されているので、替芯６ｂを位置指示器１に取付ける時の位置指示器１の傾きやぐらつきを防止することができ、位置指示器１の先端部２ａを替芯６ｂに対して一層確実に位置決めすることができる。
【００３６】
また、替芯挿入穴４６の内面には、この替芯挿入穴４６に挿入された替芯６ｂを、弾性力によって把持するための弾性体を設けることで、芯交換器１８を傾けたり、誤って落下させたりしても替芯挿入穴４６に挿入された替芯６ｂが脱落することを防止することができる。また、替芯挿入穴４６に挿入された替芯６ｂの傾きやぐらつきも防止することができ、替芯６ｂを一層確実に位置指示器１に取付けることができる。
【００３７】
また、替芯挿入穴４６は、替芯６ｂのペン先本体部１０と嵌合する形状に形成されているので、替芯挿入穴４６に挿入された替芯６ｂの傾きやぐらつきをより良好に防止することができ、替芯６ｂを一層確実に位置指示器１に取付けることができる。
【００３８】
さらに、芯交換器１８は、古芯６ａを位置指示器１から引き抜くための芯抜き部２８を備え、芯抜き部２８は、位置指示器１に取付けられている古芯６ａを挿入する凹部３６と、凹部３６に挿入された古芯６ａを掛止可能な、凹部３６の内壁に配置された掛止部としての刃３８とを有する。すなわち、位置指示器１の古芯６ａを凹部３６に挿入し、古芯６ａの側面を刃３８に当接させると、刃３８が古芯６ａに食い込んで古芯６ａを掛止するので、その後位置指示器１を引き上げることにより、古芯６ａを容易に位置指示器１から引き抜くことができる。その後、替芯６ｂを芯取付部３０によって位置指示器１に取付けることにより、位置指示器１に取付けられた古芯６ａを替芯６ｂに容易且つ確実に交換することができる。
【００３９】
また、芯交換器１８の内部には、位置指示器１から引き抜かれた古芯６ａを収容するための収容部４０が設けられており、この収容部４０と凹部３６とは、刃３８の近傍に形成された貫通孔４２を介して連通している。すなわち、古芯６ａを刃３８によって位置指示器１から引き抜くと、この古芯６ａが貫通孔４２を介して収容部４０に落下するので、引き抜いた古芯６ａを収容部４０に確実に収容することができ、古芯６ａを見失うことなく確実に廃棄することができる。特に、古芯６ａを刃３８によって取外す際に古芯６ａが破断した場合、古芯６ａが飛び散るのを防止することができる。
【００４０】
また、芯交換器１８は、収容部４０内の古芯６ａを廃棄するために収容部４０に形成された廃棄口４４を覆うカバー部材としての板部材５０を有し、板部材５０は、芯交換器１８に対して取り外し可能に保持されており、板部材５０の芯交換器１８に対する取付け状態において、この板部材５０の端部と向かい合う芯交換器１８の部分には凹部５４が形成されている。
すなわち、板部材５０の端部５０ａを押すと、板部材５０の端部５０ａが芯交換器１８の凹部５４に押し込まれると共に、廃棄口４４を覆う板部材５０の部分が持ち上がり、廃棄口４４が外部に向かって開放されるようになっているので、廃棄口４４を容易な操作で外部に向かって開放することができ、収容部４０に収容された古芯６ａを容易に廃棄することができる。
【００４１】
更に、芯交換器１８は、芯取付部３０及び芯抜き部２８が設けられた筐体２６と、筐体２６に取付けられた蓋部３２を有し、蓋部３２は、芯取付部３０を覆う位置と、芯取付部３０を外部に露出させる位置との間で移動可能に取付けられている。すなわち、芯取付部３０を蓋部３２で覆うことにより、例えば、芯の取替えに備え、芯取付部３０に替芯６ｂを予め収容しておく場合に、替芯６ｂが芯取付部３０から脱落することを防止でき、蓋部３２を移動させて芯取付部３０を外部に露出させれば、小さな替芯６ｂを指で取り扱うことなく替芯６ｂの位置指示器１への取付け作業を行うことができる。
【００４２】
また、芯抜き部２８と芯取付部３０とは、筐体２６の同一面に設けられ、蓋部３２は、筐体２６に対して、芯抜き部２８と芯取付部３０とが設けられた面の上を摺動可能に取付けられているので、蓋部３２を筐体２６に対して摺動させることにより、芯抜き部２８及び芯取付部３０を蓋部３２によって容易に覆い又は外部に露出させることができる。
【００４３】
また、凹部３６の底面全体に貫通孔４２が形成されているので、刃３８によって引き抜かれた古芯６ａを、貫通孔４２を介して確実に収容部４０に落下させて収容することができる。
【００４４】
また、凹部３６は、穴状に形成されているので、位置指示器１の古芯６ａを穴状に形成された凹部３６に容易に挿入することができ、古芯６ａを位置指示器１から容易に引き抜くことができる。
【００４５】
また、凹部３６の側壁３６ａは、向かい合う側壁３６ａ間の幅が刃３８に向かって次第に縮小するように形成されている。すなわち、位置指示器１の古芯６ａを凹部３６に挿入し、凹部３６の側壁３６ａに沿って移動させることにより、古芯６ａを確実に刃３８に当接させることができるので、古芯６ａを一層確実に位置指示器１から引き抜くことができる。
【００４６】
次に、図８及び図９を参照しつつ、本考案の第２実施形態による芯交換器を説明する。図８は、本考案の第２実施形態による芯交換器を示す図であり、図８（Ａ）は芯交換器の斜視図、図８（Ｂ）は芯交換器の側面図である。図９は、本考案の第２実施形態の変形例にかかる芯交換器の斜視図である。
【００４７】
図８に示すように、本考案の第２実施形態による芯交換器５６は、細長い、ほぼ長方形の板状体として形成された芯交換器本体５８を備えている。そして、この板状体として形成された芯交換器本体５８には、芯取付部６０の替芯挿入穴６２と、芯抜き部６４の略Ｖ字形の切欠き部６６とが形成されている。芯交換器本体５８は、例えばステンレス鋼やアルミニウム等の金属製の一枚板として形成されている。
【００４８】
略Ｖ字形の切欠き部６６は、より詳細には、図８（Ａ）に示すように、芯交換器５６の板状体の短辺側から板状体の長手方向に沿って延びる、略Ｖ字形の切欠き状に形成されている。この切欠き部６６の互いに対向する側壁６６ａは、向かい合う側壁６６ａ間の幅が、板状体の短辺側の端部に位置する切欠きの開口部６６ｂから終端部６６ｃに向かって次第に縮小するように形成されている。
また、図８（Ｂ）に示すように、切欠き部６６の側壁６６ａは、向かい合う側壁６６ａ間の幅が、板状体の上面６８から底面７０（図８（Ｂ）において、板状体の上側の面から下側の面）に向かって拡大するように傾斜して形成されており、上面６８と側壁６６ａとが交わる部分、即ち側壁６６ａの上面６８側の端縁が刃７２として作用する。切欠き部６６の側壁６６ａ全体が上記のように傾斜して形成され、側壁６６ａの上面６８側の端縁全体に沿って刃７２が形成されている。尚、側壁６６ａは、切欠き部６６の終端部６６ｃの近傍部分のみを傾斜して形成し、刃７２が切欠き部６６の終端部６６ｃの近傍部分のみに設けられるようにしてもよい。
【００４９】
この第２実施形態では、芯取付部６０の替芯挿入穴６２は、替芯６ｂの胴部１０ａが軽圧入されるように、入口の部分が芯の胴部１０ａの外形とほぼ同じ内径を有する。この替芯挿入穴６２は、この中に替芯６ｂのペン先本体部１０を挿入したときに替芯６ｂを押付け可能な内側底壁６２ａを有する。替芯挿入穴６２の中心部は、芯交換器５６の上面６８から底面７０まで貫通する貫通穴６２ｂとして形成されている。尚、替芯挿入穴６２は、必ずしも替芯６ｂの胴部１０ａの外形と同じ内径を有する必要はなく、替芯６ｂの胴部１０ａの外形よりも大きな内径を有してもよい。また、替芯挿入穴６２は、すり鉢形状であってもよく、貫通穴６２ｂを有していなくてもよい。
【００５０】
また、図９に示す、本考案の第２実施形態の変形例にかかる芯交換器５６では、芯抜き部６４は、芯交換器本体５８を貫通する、略扇形又は略二等辺三角形の孔部６６ｄとして形成されている。この孔部６６ｄの互いに対向する側壁６６ａ（図８（Ｂ）と同様に表れるので、図８（Ｂ）を参照）は、向かい合う側壁６６ａ間の幅が、板状体の端部側の孔部６６ｄの端部６６ｅから孔部６６ｄの終端部６６ｃに向かって次第に縮小するように形成されている。また、図８（Ｂ）に示すように、孔部６６ｄの側壁６６ａは、向かい合う側壁６６ａ間の幅が、板状体の上面６８から底面７０（図８（Ｂ）において、板状体の上側の面から下側の面）に向かって拡大するように傾斜して形成され、上面６８と側壁６６ａとが交わる部分、即ち側壁６６ａの上面６８側の端縁が、刃７２として作用する。孔部６６ｄの側壁６６ａ全体が上記のように傾斜して形成され、側壁６６ａの上面６８側の端縁全体に沿って刃７２が形成されている。尚、孔部６６ｄの終端部６６ｃの近傍部分の側壁６６ａのみを傾斜して形成し、刃７２が孔部６６ｄの終端部６６ｃの近傍部分のみに設けられるようにしてもよい。
【００５１】
次に、上述した本考案の第２実施形態による芯交換器５６の作用効果を説明する。
まず、本考案の第２実施形態によれば、切欠き部６６は、略Ｖ字形の切欠き状に形成されているので、位置指示器１の古芯６ａを切欠き部６６に挿入し、切欠き部６６の側壁６６ａに沿って移動させることにより、古芯６ａを確実に刃７２に当接させることができるので、古芯６ａを確実に位置指示器１から引き抜くことができる。
【００５２】
また、芯交換器５６は板状体であり、芯取付部６０の替芯挿入穴６２と、芯抜き部６４の切欠き部６６が、板状体に形成されているので、芯交換器５６を簡易で小型な構造とすることができ、また、低コストで製造することができる。
【００５３】
また、板状の芯交換器本体５８に形成された孔部６６ｄには刃７２が設けられており、刃７２が板状の芯交換器本体５８の外周部５８ａに露出しないようになっているので、ユーザが芯交換器５６を使用するときに刃７２に直接触れることを防止でき、安全に芯交換器５６を使用することができる。
【００５４】
次に、図１０乃至図１２により、本考案の第３実施形態による芯交換器を説明する。図１０は、本考案の第３実施形態による芯抜き部が露出した状態の芯交換器を示す斜視図である。図１１は、本考案の第３実施形態による芯取付部が露出した状態の芯交換器を示す斜視図である。図１２は、図１１のXII−XII線に沿って見た芯交換器の断面図である。
【００５５】
図１０及び図１１に示すように、本考案の第３実施形態による芯交換器７４は、ほぼ直方体形の筐体７６を備える。この筐体７６の上面７８には、筐体７６の長手方向に沿って、芯抜き部８０と３つの芯取付部８２とが設けられている。
また、芯交換器７４は、筐体７６の上面７８、底面８４、及び長手方向に沿った側面８６を覆う角筒形の蓋部８８を備えている。蓋部８８は、筐体７６の長手方向に沿って、筐体７６の外周上を摺動可能に取付けられており、芯取付部８２を覆う位置（図１０の位置）と、芯取付部８２を外部に露出させる位置（図１１の位置）との間で移動可能である。これらの筐体７６と蓋部８８によって、芯交換器７４が構成される。
【００５６】
芯抜き部８０は、図１０及び図１２に示すように、位置指示器１に取付けられている古芯６ａを挿入する凹部９２と、凹部９２に挿入された古芯６ａを掛止可能な、凹部９２の内壁に配置された掛止部としての刃９４とを有している。
凹部９２は、筐体７６の上面７８の短辺から筐体７６の長手方向に沿って延びる溝状に形成されている。この凹部９２の側壁９２ａは、向かい合う側壁９２ａ間の幅が、溝の底面に向かって次第に縮小するように形成されている。
刃９４は、凹部９２に挿入された古芯６ａの中心軸線に対し交差する方向に向けて、溝状に延びる凹部９２の終端部の内壁に取付けられる。
【００５７】
更に、筐体７６の内部には、位置指示器１から引き抜かれた古芯６ａを収容するための収容部９６が設けられている。この第３実施形態では、中空に形成された筐体７６の内部空間全体が収容部９６となっており、収容部９６と凹部９２とは、刃９４の近傍において凹部９２の底面に形成された貫通孔９８を介して連通している。
【００５８】
図１１及び図１２に示すように、筐体７６の上面７８において筐体７６の長手方向に沿って配置された３つの芯取付部８２は、それぞれ、第１実施形態と同様の替芯挿入穴１００を備えている。すなわち、各替芯挿入穴１００は、替芯６ｂのほぼ円錐形のペン先本体部１０と嵌合する形状に形成されている。また、各替芯挿入穴１００の開口部の周囲には、位置指示器１の先端部２ａを替芯挿入穴１００の中心に向けて案内するための案内面１０２が形成されている。
【００５９】
芯抜き部８０が設けられている筐体７６の上面７８と向かい合う蓋部８８の面（以下、蓋部８８の上面）には、蓋部８８が芯取付部８２を覆う位置（図１０の位置）に配置された時に芯抜き部８０の凹部９２と向かい合う領域に、切欠部１０４が形成されている。この切欠部１０４は、蓋部８８の上面の短辺から蓋部８８の長手方向に沿って延びるように形成されており、切欠部１０４の長手方向の長さは、芯抜き部８０の凹部９２の長手方向の長さより長く形成される。従って、図１０に示すように、蓋部８８が芯取付部８２を覆う位置において、芯抜き部８０の凹部９２は切欠部１０４を介して外部に露出している。
【００６０】
さらに、図１１及び図１２に示すように、筐体７６の長手方向の端部のうち芯取付部８２に近い側には、蓋部８８の肉厚とほぼ同じ高さの段部７６ａが形成されている。筐体７６を蓋部８８の内周に挿入するとき、この段部７６ａにより挿入方向の筐体７６の移動が規制されるので、蓋部８８の長手方向の端部のうち切欠部１０４が設けられている側から筐体７６が抜け落ちることを防止できる。
【００６１】
次に、上述した本考案の第３実施形態による芯交換器７４の作用効果を説明する。
まず、本考案の第３実施形態によれば、凹部９２は、溝状に形成されているので、位置指示器１の古芯６ａを凹部９２に挿入し、溝状の凹部９２の側壁９２ａに沿って移動させることにより、古芯６ａを確実に刃９４に当接させることができるので、古芯６ａを確実に位置指示器１から引き抜くことができる。
【００６２】
また、本考案の第３実施形態によれば、凹部９２の側壁９２ａは、凹部９２の底面に向かって次第に縮小するように形成されている。従って、位置指示器１の古芯６ａを凹部９２に挿入するときに、古芯６ａを凹部９２の側壁９２ａに沿って凹部９２の中央に案内することができ、古芯６ａを適当な位置で刃９４に当接させることができるので、古芯６ａを確実に位置指示器１から引き抜くことができる。
【００６３】
以上、本考案の実施形態を説明したが、本考案の具体的な構成及び手段は、実用新案登録請求の範囲に記載した各考案の技術的思想の範囲内において、任意に改変及び改良することができる。
【００６４】
まず、上記の説明では、芯抜き部及び芯取付部を備えた芯交換器の実施形態を例示したが、上述した各実施形態における芯取付部のみを備えた芯取付器を構成してもよい。
この芯取付器によって、上述した各実施形態による芯交換器の芯取付部と同様の作用効果を得ることができる。
【００６５】
図１３は、本考案の実施形態の変形例による芯交換器の斜視図である。この図１３に示すように、芯抜き部１０６を、芯交換器に形成された、古芯６ａを挿入する第２の穴１０８と、この第２の穴１０８の内周面から半径方向内方に向けて延びる、古芯６ａを把持するための複数の歯１１０を有するように構成してもよい。なお、図１３では、変形例による芯抜き部１０６を第１実施形態と同様の筐体に設けた場合を例示したが、第２実施形態と同様の芯交換器や第３実施形態と同様の筐体に設けてもよい。
この変形例の芯抜き部１０６によれば、位置指示器１の古芯６ａを芯抜き部１０６の凹部に挿入したとき、古芯６ａの外周に対して全方向から均等に歯１１０が食い込むので、一層容易且つ確実に古芯６ａを引き抜くことができる。
【００６６】
図１４は、本考案の実施形態のさらなる変形例による芯交換器の斜視図である。この図１４に示すように、筐体１１２を円柱形に形成すると共に、蓋部１１４を、筐体１１２の上面を覆うように、筐体１１２に対して回転可能に設けてもよい。この蓋部１１４は円板であり、この円板には１つの開口１１６が形成されている。すなわち、円板は、芯抜き部１１８が開口１１６を介して外部に露出され且つ芯取付部１２０を円板により覆われる位置（図１４の位置）と、芯取付部１２０が開口１１６を介して外部に露出され且つ芯抜き部１１８を円板により覆われる位置との間で、筐体１１２に対して回転可能になっている。あるいは、円板に２つの開口１１６を形成し、芯抜き部１１８及び芯取付部１２０が同時に開口１１６を介して外部に露出する位置と、芯抜き部１１８及び芯取付部１２０が同時に円板により覆われる位置との間で、円板を筐体１１２に対して回転可能にしてもよい。
この変形例によれば、蓋部１１４を筐体１１２に対して回転させることにより、芯抜き部１１８及び芯取付部１２０を蓋部１１４によって容易に覆い又は外部に露出させることができる。
【００６７】
また、芯交換器本体に、ストラップを取付けるためのストラップ取付部を設けてもよい。このストラップ取付部にストラップを取付けることにより、芯交換器を失くすことなく携帯することができる。
【００６８】
また、上述した本考案の各実施形態では、凹部３６に挿入された古芯６ａを掛止可能な掛止部として刃を設けた場合を説明したが、凹部３６に挿入された古芯６ａに刺入可能な針状の突起部を掛止部として凹部３６の内壁に配置してもよい。
あるいは、芯体６の側面に凹部又は凸部を形成し、これらの凹部又は凸部と互いに係合する係合部を掛止部として凹部３６の内壁に配置してもよい。
【００６９】
また、上述した本考案の第１実施形態では、替芯挿入穴４６の内面には、この替芯挿入穴４６に挿入された替芯６ｂを弾性力によって把持するための弾性体が設けられる場合を説明したが、筐体全体を弾性体（例えば、プラスチック、エラストマー、ポリプロピレン、ポリエチレン等）によって形成することで、替芯挿入穴４６が替芯６ｂを把持するようにしてもよい。
【００７０】
また、上述した本考案の第１実施形態では、板部材５０は、板部材５０と筐体２６のそれぞれに埋め込まれた磁石５２の磁力によって、筐体２６に対して取り外し可能に保持されると説明したが、これとは異なる構成にしてもよい。
例えば、板部材５０が、筐体２６の底面２２に対して摺動可能に取付けられるようにしてもよい。この場合、板部材５０は、廃棄口４４を覆う取付位置から摺動することによって、筐体２６から取り外され、廃棄口４４が外部に開放される。
あるいは、板部材５０が、ヒンジ機構を介して筐体２６に取付けられるようにしてもよい。この場合、板部材５０は、廃棄口４４を覆う閉位置と、廃棄口４４を外部に開放する開位置との間で、ヒンジ機構により開閉可能にしてもよい。
【００７１】
また、上述した本考案の第３実施形態において、筐体７６の底面８４に、収容部９６内の古芯６ａを廃棄するための廃棄口を形成してもよい。この場合、蓋部８８は、廃棄口を覆うカバー部材として機能する。すなわち、蓋部８８は、廃棄口を覆う閉位置と、廃棄口を外部に開放する開位置との間で、筐体７６に対して摺動可能となっている。
【符号の説明】
【００７２】
１  位置指示器
２  位置指示器本体
２ａ  先端部
４  共振回路
６  芯体
６ａ  古芯
６ｂ  替芯
１０  ペン先本体部
１０ａ  胴部
１０ｂ  先端部
１２  突出部
１４  芯体保持部
１６  挿入穴
１８、５６、７４  芯交換器
２０、６８、７８  上面
２２、７０、８４  底面
２４、８６  側面
２６、７６、１１２  筐体
２８、６４、８０、１０６、１１８  芯抜き部
３０、６０、８２、１２０  芯取付部
３２、８８、１１４  蓋部
３２ａ  上面部
３２ｂ  側面部
３２ｃ  爪部
３２ｄ、３２ｅ  長辺
３６、９２  凹部
３６ａ、６６ａ、９２ａ  側壁
３６ｂ、３６ｃ  端部
３８、７２、９４  刃
４０、９６  収容部
４２、９８  貫通孔
４４  廃棄口
４６、６２、１００  替芯挿入穴
４６ａ  開口部
４６ｂ  底面
４８、１０２  案内面
５０  板部材
５０ａ  端部
５２  磁石
５４  凹部
５８  芯交換器本体
５８ａ  外周部
６２ａ  内側底壁
６２ｂ  貫通孔
６６  切欠き部
６６ｂ  開口部
６６ｃ  終端部
６６ｄ  孔部
７６ａ  段部
１０４  切欠部
１０８  第２の穴
１１０  歯
１１６  開口
【図１】
0003182660.tif 000003
【図２】
0003182660.tif 000004
【図３】
0003182660.tif 000005
【図４】
0003182660.tif 000006
【図５】
0003182660.tif 000007
【図６】
0003182660.tif 000008
【図７】
0003182660.tif 000009
【図８】
0003182660.tif 000010
【図９】
0003182660.tif 000011
【図１０】
0003182660.tif 000012
【図１１】
0003182660.tif 000013
【図１２】
0003182660.tif 000014
【図１３】
0003182660.tif 000015
【図１４】
0003182660.tif 000016